(57)【要約】【課題】転倒防止板１１の長孔に取り付けた固定ボルトを用いて自動販売機を固定する。【解決手段】転倒防止板１１の上に固定金具２１を載せて、自動販売機１の脚部３に対する固定金具２１の位置を調整する。転倒防止板１１の前後には長孔１２、１３を設けて、転倒防止板１１の裏面に長孔１２、１３に沿って座ぐり溝１４を形成し、四角ボルト１７の頭部１７ａを座ぐり溝１４に嵌合し、ねじ部１７ｂを上方に突出する。固定金具２１に四角ボルト１７のねじ部１７ｂを挿通し、ねじ部１７ｂに平座金２２、ばね座金２３を取り付けた後に六角ナット２４を螺合して締め付けることにより、固定金具２１を介して自動販売機１を固定する。【選択図】図７
2010282251.tif 000002
【特許請求の範囲】
【請求項１】
長片状の金属板の前部及び後部に、長手方向に固定ボルト挿通用の長孔をそれぞれ形成し、前記金属板の裏面に前記長孔に沿って前記固定ボルトの頭部を収容する座ぐり溝を形成したことを特徴とする自動販売機の転倒防止板。
【請求項２】
前記座ぐり溝には四角ボルトの頭部を嵌合し、該四角ボルトのねじ部を前記金属板から上方に突出し、固定金具に固定して自動販売機の脚部に連結することを特徴とする請求項１に記載の自動販売機の転倒防止板。
【請求項３】
前記後部の長孔は長手方向に平行な部分と該平行な部分から側方に向けて屈曲した部分を有することを特徴とする請求項１に記載の自動販売機の転倒防止板。
【請求項４】
前記長孔は１枚の金属板に対し２列に形成したことを特徴とする請求項１に記載した自動販売機の転倒防止板。
【発明の詳細な説明】
【技術分野】
【０００１】
本発明は、自動販売機の転倒防止板に関するものである。
【背景技術】
【０００２】
自動販売機の設置に際しては、地震等の災害発生時における転倒防止対策を講ずることが好ましい。日本自動販売機工学会が発行した「自動販売機据付基準マニュアル」には、このことを考慮した据付方法が制定されている。
【０００３】
このマニュアルによると、自動販売機を屋外に設置する場合には、原則として固定金具と施工アンカによって自動販売機の脚部を固定することが記載されており、アンカボルトが使えない場合や屋内に設置する場合として、自動販売機の脚部にねじ孔固定式の転倒防止用鉄板を用いて固定金具を介して据付ける方法が記載されている。
【０００４】
このねじ孔固定式の転倒防止用鉄板としては、「自動販売機据付基準マニュアル」に記載の図面と類似の図面が、例えば特許文献１に開示されている。
【０００５】
自動販売機１を転倒防止用鉄板２を用いて据付けるに際しては、図１０に示すように自動販売機１の両側に、２枚の転倒防止用鉄板２が前後方向に向けて配置される。転倒防止用鉄板２の長さは自動販売機１が前方に転倒しないように、自動販売機１の背面から前面までの長さよりも更に前方に延出された例えば９００ｍｍの長さとされている。
【０００６】
この転倒防止用鉄板２は一端を自動販売機１の背面側に位置させて、後端部に自動販売機１の後方の脚部３を連結し、前端側に前方の脚部３を連結し、前端部２ａを自動販売機１の前方に突出する状態で据付面に載置される。この転倒防止用鉄板２は前方に突出する前端部２ａによって、自動販売機１の前方への転倒を有効に防止している。
【０００７】
また、転倒防止用鉄板２の幅は、自動販売機１の脚部３を十分に支持できると共に、自動販売機１が転倒する方向に力が作用したときに転倒防止用鉄板２が曲がったり、折れたりしない十分な幅とし、例えば２５０ｍｍ程度とされている。
【０００８】
更に、転倒防止用鉄板２はその厚さを例えば９ｍｍとすることにより、自動販売機１が転倒する方向に力が作用したときに、曲がったり折れたりすることがないようにされている。
【先行技術文献】
【特許文献】
【０００９】
【特許文献１】実用新案登録第３０７８５４２号公報
【発明の概要】
【発明が解決しようとする課題】
【００１０】
この転倒防止用鉄板２は所定の間隔で複数個所にねじ孔が形成されており、図示しない固定ボルト、固定金具を介して自動販売機１を固定することになるが、その位置調整がかなり面倒であり、固定金具の角度を変えたりして、自動販売機１の脚部に合わせてボルトをねじ孔に螺合しなければならない。場合によっては、自動販売機を所定の位置に正確に据付けできないこともある。
【００１１】
また、この転倒防止用鉄板２は再利用することもあり得るが、使用したねじ孔が損傷して再使用には不都合が生ずることもある。
【００１２】
本発明の目的は、自動販売機の据付けを正確にかつ容易に行うことができ、再使用が可能な自動販売機の転倒防止板を提供することにある。
【課題を解決するための手段】
【００１３】
上記目的を達成するための本発明に係る自動販売機の転倒防止板は、長片状の金属板の前部及び後部に、長手方向に固定ボルト挿通用の長孔をそれぞれ形成し、前記金属板の裏面に前記長孔に沿って前記固定ボルトの頭部を収容する座ぐり溝を形成したことを特徴とする。
【発明の効果】
【００１４】
本発明の自動販売機の転倒防止板は、長孔により固定ボルトの位置を任意に調整できるので、自動販売機の据付けを正確かつ容易になし得る。
【図面の簡単な説明】
【００１５】
【図１】実施例１の転倒防止板の平面図である。
【図２】底面図である。
【図３】図１のＡ−Ａ線に沿った拡大断面図である。
【図４】図１のＢ−Ｂ線に沿った拡大断面図である。
【図５】四角ボルトの斜視図である。
【図６】固定金具を転倒防止板上に配置した状態の平面図である。
【図７】自動販売機の脚部を固定した状態の断面図である。
【図８】転倒防止板に四角ボルトを取り付けた状態の説明図である。
【図９】実施例２の転倒防止板の平面図である。
【図１０】転倒防止用鉄板を用いて自動販売機を据付ける場合の斜視図である。
【発明を実施するための形態】
【００１６】
本発明を図１〜図９に図示の実施例に基づいて詳細に説明する。
【実施例１】
【００１７】
図１は実施例１の転倒防止板の平面図、図２は底面図、図３は図１のＡ−Ａ線に沿った拡大断面図、図４はＢ−Ｂ線に沿った拡大断面図を示している。
【００１８】
転倒防止板１１は例えば厚さ９ｍｍの鉄板等の金属板を所定の幅と長さに切断した長片状とされ、転倒防止板１１の前部及び後部の片側に寄せて、固定ボルト挿通用の長孔１２、１３が転倒防止板１１の長手方向に向けて設けられている。そして、長孔１２、１３の幅は例えば幅１２．６ｍｍとされ、前部の長孔１２は長く、後部の長孔１３は短く、かつ長手方向に平行な長孔１３の前端１３ａに対して後端１３ｂが「く」の字状に側方に屈曲されている。例えば、長さ９００ｍｍの転倒防止板１１に対して、長孔１２の長さは２５０ｍｍ、長孔１３の長さは１００ｍｍとされている。なお、長孔１２ではその長さを考慮して、長孔１２の中間に補強のための連結部１２ａが必要に応じて設けられている。
【００１９】
また、転倒防止板１１の裏面側には、長孔１２、１３に沿ってその両側に幅が例えば２８ｍｍ、深さ４．５ｍｍの座ぐり溝１４が形成されている。また、転倒防止板１１の前部の周縁には、縁部の厚みを薄くした面取部１６が形成され、通行人が転倒防止板１１に躓くことが防止されている。
【００２０】
転倒防止板１１の長孔１２、１３には、固定ボルトとして、図５に示すような頭部１７ａを一辺が２５ｍｍの正方形とし、ねじ部１７ｂにねじを刻設した四角ボルト１７が裏面側から挿通して使用され、四角ボルト１７の頭部１７ａの厚みは座ぐり溝１４の深さとほぼ同程度とされている。
【００２１】
転倒防止板１１は自動販売機の底面の四隅のボルト状の脚部３を固定金具２１を介して固定して、自動販売機１の転倒を防止するものであり、図６は転倒防止板１１上に固定金具２１を配置した場合の平面図、図７は自動販売機１の脚部３を固定した状態の断面図である。なお、固定金具２１は幾つかの形式があり、前後の脚部３に対し異なる形式のものを使用することもある。
【００２２】
転倒防止板１１上の固定金具２１の周囲には立ち上り部２１ａが設けられ、中央面は水平に持ち上げられ、固定金具２１は転倒防止板１１の間に間隙が生ずるようになっている。また固定金具２１には、ボルト挿通孔２１ｂと自動販売機１の脚部３を挿入する脚部保持孔２１ｃが形成されている。脚部保持孔２１ｃには側部方向に開口部２１ｄが設けられ、開口部２１ｃには脚部３を脚部保持孔２１ｃに案内して確実に保持できる深さとされている。
【００２３】
自動販売機１に設けられた脚部３はレベル調節ねじを有し、自動販売機１の底面にねじ込む量を変えてその高さが調整できるようになっている。脚部３の下端に取り付けた板体状の支持盤３ａは、転倒防止板１１上において支持盤３ａの下面の面積を大きくすることにより、単位面積当りの接地圧を小さくしている。
【００２４】
転倒防止板１１には、予め図８に示すように四角ボルト１７のねじ部１７ｂを転倒防止板１１の裏側から長孔１２、１３にそれぞれ挿通しておき、頭部１７ａを座ぐり溝１４に嵌め込んでおく。この状態で、２枚の転倒防止板１１を自動販売機１の両側下方にそれぞれ挿入して、自動販売機１を浮かせながら、自動販売機１の脚部３を転倒防止板１１上に載置し脚部３の水平位置を調整する。
【００２５】
次に、転倒防止板１１の上に固定金具２１を載せて、図７に示すように自動販売機１の脚部３が脚部保持孔２１ｃ内に入り込むように固定金具２１の位置を調整すると共に、固定金具２１のボルト挿通孔２１ｂに転倒防止板１１から上方に突出している四角ボルト１７のねじ部１７ｂを挿通する。ねじ部１７ｂに対し、平座金２２、ばね座金２３を取り付けた後に六角ナット２４を螺合して締め付けることにより、固定金具２１を転倒防止板１１に固定する。
【００２６】
この場合に、転倒防止板１１は長孔１２、１３を設けているため、据付けに際して四角ボルト１７の移動の自由度があり、作業が容易となる。自動販売機１の前脚同士の間隔と後脚同士の間隔が異なることがあり、後部の長孔１３を「く」の字に曲設することにより、対応が容易となる。
【００２７】
なお、長孔１３は曲設とすることなく、長孔１２と同様に直線状であってもよく、また四角ボルト１７の頭部１７ａは正方形としたが、正方形とは限らず、座ぐり溝１４に嵌合する形状であればよい。
【００２８】
本発明の転倒防止板１１は自動販売機１の据付に際して有利であると共に、再使用する場合にねじ孔のように損傷する個所がないので、再度の使用が容易となる。
【実施例２】
【００２９】
図９は実施例２の転倒防止板１１’を示し、１枚の転倒防止板１１’に対し、長孔１２、１３が両縁に沿って２列に設けられている。なお、転倒防止板１１の裏面においては、２列の長孔１２、１３に沿って、それぞれ座ぐり溝が設けられていることは実施例１と同様である。
【００３０】
この転倒防止板１１’は実施例１と同様の機能を有する。しかし、実施例１の転倒防止板１１においては、１個の自動販売機１に対し、一対の左右別個の転倒防止板１１を必要としたが、実施例２の転倒防止板１１’によれば２列に長孔１２、１３が設けられているので、左右別を考慮することなく使用することが可能となり、１種類の転倒防止板１１’を製作すれば済む。
【００３１】
また、この構造の転倒防止板１１’は、１枚の転倒防止板１１’を２台の自動販売機１に共有しながら配置できるので、転倒防止板１１’の数を少なくしながら、複数の自動販売機１を据付けることができる。例えば、２台並べた自動販売機１に使用するときには、この転倒防止板１１’を計３枚使用し、また３台並べた自動販売機１に使用するときには計４枚の使用で済む利点がある。
【符号の説明】
【００３２】
１  自動販売機
３  脚部
１１  転倒防止板
１２、１３  長孔
１４  座ぐり溝
１７  四角ボルト
２１  固定金具
【図１】
2010282251.tif 000003
【図２】
2010282251.tif 000004
【図３】
2010282251.tif 000005
【図４】
2010282251.tif 000006
【図５】
2010282251.tif 000007
【図６】
2010282251.tif 000008
【図７】
2010282251.tif 000009
【図８】
2010282251.tif 000010
【図９】
2010282251.tif 000011
【図１０】
2010282251.tif 000012